(57)【要約】プレキャストコンクリート要素の間の継手であって、コンクリート要素の隣接する２つの面（１４）は部分的に重なる頭部付鉄筋と、鉄筋の間の横向きのスタッド（２２）によって形成される。【選択図】図２
2015528534.tif 000002
【特許請求の範囲】
【請求項１】
２つのプレキャストコンクリート要素の間の長手方向の継手であって、前記要素はそれぞれ結合される前記要素の隣接する面から突出した頭部付鉄筋を有しており、前記要素は前記頭部付鉄筋のそれぞれが交互配置され、重なり合うが互いに接触しないように位置されており、頭部付スタッドが前記継手の長さ方向に対して横断方向に、及び頭部付鉄筋を横断する方向で頭部付鉄筋同士の間に配置されており、前記鉄筋と前記スタッドはコンクリートで包み込まれていることを特徴とする継手。
【請求項２】
前記頭部付スタッドは、重なり合う前記頭部付鉄筋上に載置されるレール上で支持される両側頭部スタッドであることを特徴とする請求項１に記載の継手。
【請求項３】
前記頭部付スタッドは、前記継手下方の梁に溶接されていることを特徴とする請求項１に記載の継手。
【請求項４】
それぞれの要素の端部は、頭部付鉄筋の複列を有することを特徴とする請求項１に記載の継手。
【請求項５】
少なくとも１つの長手方向の鉄筋が、前記継手の長さ方向に沿って位置されていることを特徴とする請求項１に記載の継手。
【請求項６】
関連する図面に関連して、実質的に、本明細書に記される２つのプレキャストコンクリートの間の継手。
【発明の詳細な説明】
【技術分野】
【０００１】
本発明は、プレキャストコンクリート要素の間の継手（ｊｏｉｎｔ、接続構造）を作り出す場合の、頭部付アンカー（ｈｅａｄｅｄ  ａｎｃｈｏｒ）の鉄筋（ｒｅｉｎｆｏｒｃｅｍｅｎｔ  ｂａｒ）の使用に関する。
【０００２】
頭部付の異形鉄筋（ｈｅａｄｅｄ  ｄｅｆｏｒｍｅｄ  ｂａｒ）は、たとえばリブ付きの炭素鋼製鉄筋のような、頭部が一方又は両方の端部に取り付けられた、変形された鉄筋である。滑らかな鉄筋が頭部と併用される。この明細書では、より高度な固定のために軸が変形されているか否かに関わらず、両端に頭部が取り付けられた鉄筋を両側頭部スタッド（ｄｏｕｂｌｅ−ｈｅａｄｅｄ  ｓｔｕｄ）と呼ぶ。
【背景技術】
【０００３】
プレキャスト要素の間の継手を作り出すときに、頭部付鉄筋（ｈｅａｄｅｄ  ｂａｒ、頭部付棒材）によって固定される重ね継手を使用することは、２００６年３月４月号、第２号、ＡＣＩ  Ｓｔｒｕｃｔｕｒａｌ  Ｊｏｕｒｎａｌ  Ｖ  １０３において、Ｍ．Ｋｅｉｔｈ  Ｔｈｏｍｐｓｏｎ、Ａｎｔｏｎｉｏ  Ｌｅｄｅｓｍａ、Ｊａｍｅｓ  Ｏ．Ｊｉｒｓａ、及びＪｏｈｎ  Ｅ．  Ｂｒｅｅｎによる「Ｌａｐ  Ｓｐｌｉｃｅｓ  Ａｎｃｈｏｒｅｄ  ｂｙ  Ｈｅａｄｅｄ  Ｂａｒｓ（頭部付鉄筋で固定された重ね継手）」（非特許文献１）と題された技術論文に記載されている。この論文は主に架橋構造での使用について述べている。この論文は、このような継手の構造を記載している。２００２年５月、同著者によるさらに詳細な報告書が、テキサス大学オースティン校、Ｃｅｎｔｅｒ  ｆｏｒ  Ｔｒａｎｓｐｏｒｔａｔｉｏｎ  ａｎｄ  Ｒｅｓｅａｒｃｈより、レポート  １８５５−３（非特許文献２）として発行されている。これらの文書はここではテキサス論文と呼ぶこととする。これらの文書中で対象となる、一般的な継手の幅は１０インチ（０．２５４ｍ）とする。
【０００４】
頭部付鉄筋もフラットスラブ（ｆｌａｔ  ｓｌａｂ、水平スラブ）の補強において使用され、特に柱頭周辺の局在的な高いせん断応力に対処するために使用される。ＲＦＡ−Ｔｅｃｈ  ＳＨＥＡＲＴＥＣＨ（登録商標）システムは運搬（ｃａｒｒｉｅｒ）／スペーサ（ｓｐａｃｅｒ）レールに溶接された両側頭部せん断スタッドの使用を提案している。これらのスタッド運搬レールは、せん断補強を提供するために、支柱を包囲するスラブ内に放射状に（ｌｉｋｅｄ  ｒａｙｓ）配置されるように設計されている。スタッドは支柱の軸に対して平行な周囲のスラブ内に垂直方向に位置している。この他にも、ドイツのＨａｌｆｅｎとＭａｘ  Ｆｒａｎｋが提唱する、支柱頭部周辺に使用するための、特許で保護されたシステムが存在する。
【先行技術文献】
【非特許文献】
【０００５】
【非特許文献１】「Ｌａｐ  Ｓｐｌｉｃｅｓ  Ａｎｃｈｏｒｅｄ  ｂｙ  Ｈｅａｄｅｄ  Ｂａｒｓ」Ｓｔｒｕｃｔｕｒａｌ  Ｊｏｕｒｎａｌ  Ｖ  １０３Ｍ．２００６年３月４月号、第２号、ＡＣＩ  Ｋｅｉｔｈ  Ｔｈｏｍｐｓｏｎ、Ａｎｔｏｎｉｏ  Ｌｅｄｅｓｍａ、Ｊａｍｅｓ  Ｏ．Ｊｉｒｓａ、及びＪｏｈｎ  Ｅ．Ｂｒｅｅｎ
【非特許文献２】「Ｃｅｎｔｅｒ  ｆｏｒ  Ｔｒａｎｓｐｏｒｔａｔｉｏｎ  ａｎｄ  Ｒｅｓｅａｒｃｈ」レポート  １８５５−３、２００２年５月、テキサス大学オースティン校
【発明の概要】
【発明が解決しようとする課題】
【０００６】
本発明は、特に、複数の床を定める下部構造を作るためのフラットスラブ構造を要する、大規模な高層構造物内の床製造における問題点に関する。これらの床はプレキャストコンクリートの厚板から組み立てることができる。これらのスラブの間の継手、及び、様々な構造に使用されるコンクリート支柱、梁、壁などの、他の構造要素の間の継手は、構造的に頑強でなければならない。また、これらの継手を作る際、高強度なコンクリートの使用を最小限に抑えることが望ましい。
【課題を解決するための手段】
【０００７】
本発明は、接合される要素の、隣接する面から突出する頭部付鉄筋をそれぞれ有する、２つのプレキャストコンクリート要素の間の長手方向（縦方向）の継手を提供する。この要素は、それぞれの頭部付鉄筋が交互に配置され、部分的に重なり合うが、それぞれが接触しないように配置されている。また、頭部付スタッドは継手長さを横断する方向に、及び頭部付鉄筋を横断する方向で、及びその間に位置し、鉄筋とスタッドはコンクリートで包み込まれる。好適には継手の構造が採用される。この構造では、テキサス論文に記載されているように、頭部付鉄筋は重ね継ぎの方法で組み合わされ、さらに、部分的に重なり合う頭部付鉄筋上で支持される継手の長さに沿ったスタッド搬送レールと、それらの間につり下げられた両側頭部スタッドが追加される。このような補強構造が、高強度コンクリートに組み込まれると、比較的小さな寸法で頑強な構造の継手を構築することができる。分析的観点から、力の移動は、一般的な筋交いとつなぎ材（ｔｉｅ）の理論に従った、搬送レール上の中間スタッドの閉じ込め効果（ｃｏｎｆｉｎｉｎｇ  ｅｆｆｅｃｔ）によって増強された筋交い（ｓｔｒｕｔ）の圧迫の強度を有する、一連の筋交いの圧迫とつなぎ材の張力とみなすことができる。
【０００８】
継手が鋼鉄梁要素（ｓｔｅｅｌ  ｂｅａｍ  ｅｌｅｍｅｎｔ）上に形成される必要がある場合、重なり合う頭部付鉄筋の間に交差するスタッドを提供するために、単頭スタッドを梁の上部フランジに予め溶接できる。
【発明の効果】
【０００９】
この継手構築形式を使用することで、本システムのプレキャスト構造要素を大型の要素として製造可能である。この要素は通常、重量を軽減して取扱いや輸送を容易にするために、軽量コンクリートを使用して製造される。
【００１０】
隣接するスラブ要素の間、梁とスラブ要素の間、壁とスラブ要素の間、及びその他同様の状況でのシステムの継手は、一方の要素から他の要素への一時的な支持が必要である。一般的には、一方の要素の頂部にボルトで固定され、片持ち梁作用によって隣接する要素に載置される（ｒｅｓｔ  ｏｎ）、一時的な鋼鉄の溝型材（ｓｔｅｅｌ  ｃｈａｎｎｅｌ）によって、提供される。
【図面の簡単な説明】
【００１１】
本発明の理解を深めるために、隣接する床の厚板間の継手の実施形態を、関連する図を参照して説明する。
【００１２】
【図１】図１は、本発明の継手を使用して、一部が構築された床の実施形態の透視図である。
【図２】図２は、本発明に従った、所定の位置に継手を構築するための補強材（ｒｅｉｎｆｏｒｃｅｍｅｎｔ）を備えた隣接する厚板の透視図である。
【図３】図３は、継手を上方から見た図である。
【図４】図４は、本発明の継手を使用して一部が構築された床の、代替的な実施形態の透視図である。
【発明を実施するための形態】
【００１３】
多層建造物の床は、プレキャスト軽量コンクリート（ＬＷＣ）の厚板１０から組み立てられる。厚板１０は、コンクリートの梁２６と支柱２８によって支持され、梁、厚板、及び隣接する厚板との間の継手の構築の前に、これらの要素は鋼鉄の溝型材３０を使用して支持される。
【００１４】
継手１２は、図２と図３に示されるように構築される。梁又は厚板１０のそれぞれの端面１４は、一連のそこから突出する頭部付鉄筋１６を有する。この例では、この鉄筋は、２つの垂直方向に空間の空いた層に図示される。補強材が厚板へのプレキャストであることにより、組み合わさった１つの厚板の頭部付鉄筋を含む端部間で（ｅｄｇｅ  ｔｏ  ｅｄｇｅ）設置でき、また、鉄筋が互いに接触したり、ぶつかり合うことなく、隣接する厚板と重なり合って設置できる。梁と厚板の端面はいずれも、同様の頭部付鉄筋による同一の間隔での配列を有するため、同一の形状の継手がすべての要素間に構築されることが可能である。
【００１５】
２つの長手方向の鉄筋１８は継手の長さに沿って設置され、連続する両側頭部スタッド２２を支持するレール２０は、頭部付鉄筋の最上部に載置される。スタッドは、頭部付鉄筋の間の中央部に位置することができるように、レールに沿って間隔を空けられている。両側頭部スタッド２２は、レール２０から垂直に吊り下げられる。
【００１６】
本実施形態では、該レールは両側頭部スタッドの頭部２４が溶接された２本の棒部分（ｒｏｄ）を備える。レールは、両側頭部スタッド２２を必要な間隔で保持するために存在し、継手の構造部品として機能しない。レールは比較的軽量である。両側頭部スタッドの最下部の頭部は、継手内に位置する。
【００１７】
型枠が継手の下部に備えられることにより、コンクリートが補強材を包囲するように隙間に注ぎ入れられ、継手の表面をプレキャスト厚板の隣接する表面のレベルまで上昇させることが可能である。継手が完了されると、溝型材３０は除去される。
【００１８】
１６〜２５ｍｍの標準的な直径の鉄筋を使用して、標準的には２００ｍｍの継手幅と重なり長さ１００ｍｍが採用可能であると考えられる。
【００１９】
図４では、鋼鉄の枠組み４は床の外縁を定める鋼鉄梁６で構成され、少なくとも１つの水平の梁８が内部に存在する。この枠組み４は、枠組み４上に設置、接続された、複数の軽量コンクリート（ＬＷＣ）厚板１０を支持するために使用される。そして、継手が先述のように作られる。
【００２０】
継手が梁６の上に設置される箇所では、両側頭部スタッドによって支持されるレールは、梁の頂部に溶接された一連の単頭スタッドに置き換えてもよい。これは、継手と同様に機能する。
【図１】
2015528534.tif 000003
【図２】
2015528534.tif 000004
【図３】
2015528534.tif 000005
【図４】
2015528534.tif 000006
【国際調査報告】
2015528534.tif 000007
2015528534.tif 000008